(57)【要約】【課題】  本発明は、利便性の高い磁気記録再生装置を提案する。【解決手段】  撮像画像を所定の間隔時間ごとに記録媒体に記録するインターバル記録動作を行う磁気記録再生装置において、インターバル記録動作時に実際に記録媒体に記録した撮像画像の累積時間をカウントする第１のカウント手段と、インターバル記録動作を開始してからの経過時間をカウントする第２のカウント手段と、第１のカウント手段及び第２のカウント手段によりカウントされた撮像画像の累積時間及び経過時間を表示する表示手段とを設けるようにした。【選択図】        図１
2006020164.tif 000002
【特許請求の範囲】
【請求項１】
撮像画像を所定の間隔時間ごとに記録媒体に記録するインターバル記録動作を行う磁気記録再生装置において、
上記インターバル記録動作時に実際に上記記録媒体に記録した上記撮像画像の累積時間をカウントする第１のカウント手段と、
上記インターバル記録動作を開始してからの経過時間をカウントする第２のカウント手段と、
上記第１のカウント手段及び上記第２のカウント手段によりカウントされた上記撮像画像の累積時間及び上記経過時間を表示する表示手段と
を具えることを特徴とする磁気記録再生装置。
【請求項２】
上記所定の間隔時間、単位時間に表示される上記撮像画像数及び１倍速の記録動作時における上記記録媒体の記録残量に基づいて当該記録媒体の上記インターバル記録動作時の記録残量時間を算出する算出手段と、
上記インターバル記録動作時の記録残量時間をカウントする第３のカウント手段と
を具え、
上記表示手段は、
上記第３のカウント手段によりカウントされた上記記録残量時間を表示する
ことを特徴とする請求項１に記載の磁気記録再生装置。
【請求項３】
上記インターバル記録動作を行った回数をカウントする第４のカウント手段
を具え、
上記表示手段は、
上記第４のカウント手段によりカウントされた上記インターバル記録動作を行った回数を表示する
ことを特徴とする請求項１に記載の磁気記録再生装置。
【請求項４】
撮像画像を所定の間隔時間ごとに記録媒体に記録するインターバル記録動作を行う磁気記録再生方法において、
上記インターバル記録動作時に実際に上記記録媒体に記録した上記撮像画像の累積時間をカウントし、上記インターバル記録動作を開始してからの経過時間をカウントする第１のステップと、
上記第１のステップにおいてカウントした上記撮像画像の累積時間及び上記経過時間を表示する第２のステップと
を具えることを特徴とする磁気記録再生方法。
【請求項５】
上記第１のステップでは、
上記所定の間隔時間、単位時間に表示される上記撮像画像数及び１倍速の記録動作時における上記記録媒体の記録残量に基づいて当該記録媒体の上記インターバル記録動作時の記録残量時間を算出して、上記インターバル記録動作時の記録残量時間をカウントし、
上記第２のステップでは、
上記第１のステップにおいてカウントした上記記録残量時間を表示する
ことを特徴とする請求項４に記載の磁気記録再生方法。
【請求項６】
上記第１のステップでは、
上記インターバル記録動作を行った回数をカウントし、
上記第２のステップでは、
上記第１のステップにおいてカウントした上記インターバル記録動作を行った回数を表示する
ことを特徴とする請求項４に記載の磁気記録再生方法。
【発明の詳細な説明】
【技術分野】
【０００１】
本発明は、磁気記録再生装置及び方法に関し、例えばディジタルビデオカメラに適用して好適なものである。
【背景技術】
【０００２】
従来、ディジタルビデオテープレコーダの記録方式としてＤＶ（Digital Video）方式（IEC 61834 helical scan digital video tape recording system using 6.35mm magnetic tape for consumers（525/60,625/50,1125/60and1250/50systems））があり、このＤＶ方式に対応したディジタルビデオカメラや、据え置き型のビデオテープレコーダが登場している。
【０００３】
また近年では、このようなディジタルビデオカメラの利用方法として、例えば、１フレームようにごく短時間のフレーム画像を連続的に記録するインターバル記録がある。
【０００４】
すなわちインターバル記録では、例えば花の開花、日の出日の入り、雲の動きや砂丘の変化等のように、ごく緩慢に動作が進行する対象物を撮影するときに、ＣＣＤ（Charge Coupled Device）カメラによる映像を所定の時間ごとに抜き出して、抜き出したフレーム画像を連続的に記録する。そして、この記録されたフレーム画像を連続的な画像として再生することにより、当該対象物の動作遷移を早回しのように表示し得るようになされている。
【０００５】
このとき、このようなインターバル記録動作を行う際に、磁気テープ、磁気ヘッド及び回転ドラム等からなる磁気テープ記録機構への負担をかけずに磁気テープへのインターバル記録を行う方法が提案されている（例えば特許文献１参照）。
【特許文献１】特開２００３−９０５３公報
【発明の開示】
【発明が解決しようとする課題】
【０００６】
ところで、このようなディジタルビデオカメラにおいては、インターバル記録動作時、ユーザに与えられる情報として、磁気テープに記録したフレーム画像の累積した時間や、一定間隔で順次取り込まれるフレーム画像の枚数だけという非常に乏しいものとなっており、現在記録しているインターバル記録の状態がユーザにとって分かり難いという問題がある。
【０００７】
本発明は以上の点を考慮してなされたもので、利便性の高い磁気記録再生装置及び方法を提案するものである。
【課題を解決するための手段】
【０００８】
かかる課題を解決するために本発明においては、撮像画像を所定の間隔時間ごとに記録媒体に記録するインターバル記録動作を行う磁気記録再生装置において、インターバル記録動作時に実際に記録媒体に記録した撮像画像の累積時間をカウントする第１のカウント手段と、インターバル記録動作を開始してからの経過時間をカウントする第２のカウント手段と、第１のカウント手段及び第２のカウント手段によりカウントされた撮像画像の累積時間及び経過時間を表示する表示手段とを設けるようにした。
【０００９】
従って、撮像画像の累積時間に加えて経過時間をユーザに認識させて、インターバル記録動作時に記録媒体に記録した時間のみならず、インターバル記録動作時の実際の時間を直感的にユーザに把握させることができる。
【００１０】
また、撮像画像を所定の間隔時間ごとに記録媒体に記録するインターバル記録動作を行う磁気記録再生方法において、インターバル記録動作時に実際に記録媒体に記録した撮像画像の累積時間をカウントし、インターバル記録動作を開始してからの経過時間をカウントする第１のステップと、第１のステップにおいてカウントした撮像画像の累積時間及び経過時間を表示する第２のステップとを設けるようにした。
【００１１】
従って、撮像画像の累積時間に加えて経過時間をユーザに認識させて、インターバル記録動作時に記録媒体に記録した時間のみならず、インターバル記録動作時の実際の時間を直感的にユーザに把握させることができる。
【発明の効果】
【００１２】
以上のように本発明によれば、撮像画像を所定の間隔時間ごとに記録媒体に記録するインターバル記録動作を行う磁気記録再生装置において、インターバル記録動作時に実際に記録媒体に記録した撮像画像の累積時間をカウントする第１のカウント手段と、インターバル記録動作を開始してからの経過時間をカウントする第２のカウント手段と、第１のカウント手段及び第２のカウント手段によりカウントされた撮像画像の累積時間及び経過時間を表示する表示手段とを設けるようにしたことにより、撮像画像の累積時間に加えて経過時間をユーザに認識させて、インターバル記録動作時に記録媒体に記録した時間のみならず、インターバル記録動作時の実際の時間を直感的にユーザに把握させることができ、かくして利便性の高い磁気記録装置を実現することができる。
【００１３】
また、撮像画像を所定の間隔時間ごとに記録媒体に記録するインターバル記録動作を行う磁気記録再生方法において、インターバル記録動作時に実際に記録媒体に記録した撮像画像の累積時間をカウントし、インターバル記録動作を開始してからの経過時間をカウントする第１のステップと、第１のステップにおいてカウントした撮像画像の累積時間及び経過時間を表示する第２のステップとを設けるようにしたことにより、撮像画像の累積時間に加えて経過時間をユーザに認識させて、インターバル記録動作時に記録媒体に記録した時間のみならず、インターバル記録動作時の実際の時間を直感的にユーザに把握させることができ、かくして利便性の高い磁気記録再生方法を実現することができる。
【発明を実施するための最良の形態】
【００１４】
以下図面について、本発明の一実施の形態を詳述する。
【００１５】
（１−１）本実施の形態によるディジタルビデオカメラの構成
図１において、１は全体として本実施の形態によるディジタルビデオカメラを示し、例えば、通常記録モード又はインターバル記録モード時に、テープドライブ部２に装填された磁気テープ３に映像又はフレーム画像を通常記録又はインターバル記録する一方、再生モード時に、テープドライブ部２に装填された磁気テープ３に通常記録又はインターバル記録された映像又はフレーム画像を再生し得るようになされている。
【００１６】
実際上このディジタルビデオカメラ１においては、レンズ系及びＣＣＤ等からなる撮像部４を有し、撮像部４は、被写体の光学像を電気信号に変換することにより得られたアナログ波形の映像信号Ｓ１をサンプリングレート変換部５に送出する。
【００１７】
サンプリングレート変換部５は、供給される映像信号Ｓ１を所定のサンプリングレートのディジタル信号に変換し、得られた映像データＤ１をビデオエンコーダ６に送出する。
【００１８】
ビデオエンコーダ６は、供給される映像データＤ１をＭＰＥＧ２（Moving Picture Experts Group Phase 2）等の所定の圧縮符号化規格に基づいて圧縮符号化し、得られた映像符号化データＤ２を一時記憶部７を介してビデオデコーダ８に送出する。
【００１９】
ビデオデコーダ８は、供給される映像符号化データＤ２を所定の復号化規格に基づいて復号化し、得られた映像復号化データＤ３を例えば高解像度のカラー液晶ディスプレイでなる表示部９に送出する。これにより、図２に示すような映像復号化データＤ３に基づく映像１０が表示部９に表示される。
【００２０】
このとき、ディジタルビデオカメラ１の所定位置には、再生ボタンや停止ボタンの他に、動作モードを再生モード、通常記録モード又はインターバル記録モードに切り替えるためのモード切替えボタン、各種設定を行うためのメニューボタン並びにメニュー選択用のカーソル操作ボタン等を有する操作部１１が設けられている。そして操作部１１は、これら各種操作ボタンが操作されると、これに応じた操作信号Ｓ２を制御部に送出する。
【００２１】
制御部１２は、例えばシステム全体の制御を司る図示しないＣＰＵ（Central Processing Unit）と、各種制御プログラムが格納されたＲＯＭ（Read Only Memory）と、ＣＰＵのワークメモリとしてのＲＡＭ（Random Access Memory）とを含むマイクロコンピュータ構成でなり、操作部１１のモード切替えボタンが操作されることにより通常記録モードが選択されると、一時記憶部７を制御することにより、一時記憶部７に供給される映像符号化データＤ２をＲＦ（Ratio Frequency）インターフェース部１３に送出させる。
【００２２】
ＲＦインターフェース部１３は、供給される映像符号化データＤ２に対して例えばＲＦ変調処理を施して得られた所定フォーマットの映像記録データＤ４をテープドライブ部２に送出する。かくしてテープドライブ部２は、この映像記録データＤ４を当該テープドライブ部２に装填された磁気テープ３に記録する。
【００２３】
一方、制御部１２は、操作部１１のモード切替えボタンが操作されることによりインターバル記録モードが選択されると、予めユーザにより設定されたインターバル記録の間隔時間で画像書込み信号Ｓ３を生成し、得られた画像書込み信号Ｓ３を一時記憶部７に送出する。
【００２４】
この一時記憶部７は、供給される映像符号化データＤ２を一時的に記憶する半導体メモリ１４と、制御部１２の制御のもとに、映像符号化データＤ２の半導体メモリ１４への書込み及び読出しを制御するメモリ制御部１５とから構成されている。
【００２５】
そして一時記憶部７のメモリ制御部１５は、制御部１２から供給される画像書込み信号Ｓ３に基づいて、ビデオエンコーダ６から供給される映像符号化データＤ２から例えば１フレームのフレーム画像を抜き出して画像データＤ５に変換し、得られた画像データＤ５を半導体メモリ１４に順次転送して、当該画像データＤ５を半導体メモリ１４に順次記憶させる。
【００２６】
また制御部１２は、半導体メモリ１４に画像データＤ５が蓄積されたフレーム画像の枚数が予めユーザにより設定された枚数（以下、これを記録実行枚数と呼ぶ）に達すると画像読出し信号Ｓ４を生成し、得られた画像読出し信号Ｓ４を一時記憶部７に送出する。
【００２７】
そして一時記憶部７のメモリ制御部１３は、制御部１２から供給される画像読出し信号Ｓ４に基づいて、半導体メモリ１４に記憶された各フレーム画像の画像データＤ５をすべて読出して、当該画像データＤ５をすべてＲＦインターフェース部１３に送出する。
【００２８】
ＲＦインターフェース部１３は、供給される画像データＤ５に対して上述のような処理を施して得られた所定フォーマットの画像記録データＤ６をテープドライブ部２に送出する。かくしてテープドライブ部２は、この画像記録データＤ６を当該テープドライブ部２に装填された磁気テープ３に連続的に記録する。
【００２９】
他方、制御部１２は、操作部１１のモード切替えボタンが操作されることにより再生モードが選択されると、テープドライブ部２を制御することにより、テープドライブ部２に装填された磁気テープ３に通常記録又はインターバル記録された映像記録データＤ４又は画像記録データＤ６をＲＦインターフェース部１３に送出させる。
【００３０】
ＲＦインターフェース部１３は、供給される映像記録データＤ４又は画像記録データＤ６に対して例えばＲＦ復調処理を施して得られた映像符号化データＤ２又は画像データＤ５を一時記憶部７を介してビデオデコーダ８に送出する。
【００３１】
ビデオデコーダ８は、供給される映像符号化データＤ２又は画像データＤ５を上述のように復号化し、得られた映像復号化データＤ３又は画像復号化データＤ７を表示部９に送出する。これにより映像復号化データＤ３に基づく映像又は画像復号化データＤ７に基づくフレーム画像が連続的に再生される。
【００３２】
このようにしてこのディジタルビデオカメラ１では、通常記録モード時又はインターバル記録モード時、撮像部４から供給される撮像信号Ｓ１に基づく映像又はフレーム画像をテープドライブ部２に装填された磁気テープに通常記録又はインターバル記録する一方、再生モード時、テープドライブ部２に装填された磁気テープ３に通常記録又はインターバル記録された映像又はフレーム画像を再生することができるようになされている。
【００３３】
このとき制御部１２は、インターバル記録モード時、各表示用文字列からなる表示データＤ８を生成し、得られた表示データＤ８を表示部９に送出することにより、表示データＤ６に基づく各表示用文字列を表示部９の映像表示面９Ａに表示されているビデオデコーダ８からの映像復号化データＤ３に基づく映像１０（図２）に重畳して表示させる。
【００３４】
実際上、制御部１２は、インターバル記録モード時、上述のように一時記憶部７の半導体メモリ１４に一定間隔で順次取り込まれるフレーム画像の枚数を順次カウントしており、このカウント値を分子とし、かつユーザにより設定された記録実行枚数を分母とする文字列（以下、これを取り込み画像枚数表示用文字列と呼ぶ）１６を表示部９の映像表示面９Ａの左上部に表示させる。また制御部１２は、インターバル記録動作を開始すると、これをユーザに知らせる『撮影中』という文字列（以下、これを撮影中表示用文字列と呼ぶ）１７を表示部９の映像表示面９Ａの中央位置に点滅表示させる。
【００３５】
そして制御部１２は、かかる一時記憶部７の半導体メモリ１４に取り込まれたフレーム画像の枚数が記録実行枚数に達すると、上述のように一時記憶部７とテープドライブ部２を制御することにより、一時記憶部７に記憶された所定フレーム分のフレーム画像の画像データＤ５をテープドライブ部２に装填された磁気テープ３に記録させるが、このときかかる『撮影中』の撮影中表示用文字列１７の表示に代えて『テープ記録中』という文字列（以下、これをテープ記録中表示用文字列と呼ぶ）１８を表示部９の映像表示面９Ａの中央位置に表示させるようになされ、これにより画像データＤ５の磁気テープ３への記録中に当該記録動作を阻害するような操作を行わないようにユーザに注意を促すようになされている。
【００３６】
また制御部１２は、インターバル記録モード時、そのインターバル記録動作時に実際に磁気テープに記録した画像データＤ５に基づくフレーム画像の累積した時間（以下、これをフレーム画像の累積時間と呼ぶ）及びそのインターバル記録動作を開始してから経過した時間（以下、これを経過時間と呼ぶ）をそれぞれカウントし、図２に示すように、これらカウント結果を表す文字列（以下、これらをそれぞれインターバル記録時間表示用文字列１９及び経過時間表示用文字列２０と呼ぶ）をそれぞれ表示部９の映像表示面９Ａの右上部に縦方向に並べて表示させる。
【００３７】
そして制御部１２は、インターバル記録動作を開始すると、フレーム画像の累積時間及び経過時間のカウントを開始し、インターバル記録時間表示用文字列１９及び経過時間表示用文字列２０の表示を必要に応じて更新させる一方、インターバル記録動作を停止すると、フレーム画像の累積時間及び経過時間のカウントを停止し、インターバル記録時間表示用文字列１９及び経過時間表示用文字列２０の表示の更新を停止させる。
【００３８】
このとき制御部１２は、ユーザに意図的にリセットされない限りフレーム画像の累積時間のカウント値を「０」にリセットしないようになされ、これによりテープドライブ部２に装填された磁気テープ３が取り出される等、磁気テープの交換をされたときにも、フレーム画像の累積時間のカウント値を記憶保持することができるようになされている。また制御部１２は、インターバル記録動作を開始するたびに、経過時間のカウント値を「０」にリセットし、経過時間表示用文字列１９の表示を「０」にリセットさせるようになされ、これによりユーザに煩わしい操作をさせることなく、そのインターバル記録動作を開始してからの経過時間をユーザに認識させることができるようになされている。
【００３９】
さらに制御部１２は、インターバル記録モード時、図２に示すように、予めユーザにより設定されたインターバル記録の間隔時間を表す文字列（以下、これをインターバル記録間隔時間表示用文字列と呼ぶ）２１を表示部９の映像表示面９Ａに表示されている取り込み画像枚数表示用文字列１６に対して縦方向に並べて表示させる。
【００４０】
さらに制御部１２は、インターバル記録モード時、テープドライブ２に装填された磁気テープ３の記録が終了するまでの残りの時間（以下、これを残テープ時間と呼ぶ）を算出して、算出された残テープ時間からカウントし、図２に示すように、このカウント結果を表す文字列（以下、これを残テープ時間表示用文字列と呼ぶ）２２を表示部９の映像表示面９Ａに表示されているインターバル記録時間表示用文字列２０に対して縦方向に並べて表示させる。
【００４１】
このとき残テープ時間Ｚ［秒］は、予めユーザにより設定されたインターバル記録の間隔時間をＷ［秒］、このディジタルビデオカメラ１における記録方式に基づく１秒間に再生するフレーム数をＸ［fps］、通常記録モード時における磁気テープの残量をＹ［分］として、次式、
【００４２】
【数１】
2006020164.tif 000003
【００４３】
により算出することができる。
【００４４】
例えば、予めユーザにより設定されたインターバル記録の間隔時間が１［秒］であり、またこのディジタルビデオカメラ１における記録方式がＮＴＳＣ（National Television System Committee）方式であることから１秒間に再生するフレーム数が３０［fps］であり、さらに通常記録モード時における磁気テープの残量が６０［分］と算出されたとすると、上述の（１）式に基づいて残テープ時間Ｚ［秒］は、１０８０００［秒］と算出される。すなわち、残テープ時間Ｚ′［時間］は、３０［時間］であることが分かる。
【００４５】
そして制御部１２は、インターバル記録動作を開始すると、残テープ時間のカウントを開始し、残テープ時間表示用文字列２２の表示を必要に応じて更新させる一方、インターバル記録動作を停止すると、残テープ時間のカウントを停止し、残テープ時間表示用文字列２２の表示の更新を停止させる。
【００４６】
これによりこのディジタルビデオカメラ１においては、容易に残テープ時間及び磁気テープの交換時期をユーザに直感的に認識させることができるようになされている。
【００４７】
なお、通常記録モード時における磁気テープの残量の検出については、テープドライブ部２に磁気テープ３が装填されたときに、当該磁気テープ３を１回転駆動させるようになされており、磁気テープ３の供給側リール（図示せず）が１回転するのに要する時間と、巻き取り側リール（図示せず）が１回転するのに要する時間に基づいて磁気テープ厚（図示せず）及びハブ径（図示せず）を推測し、磁気テープ３の総記録時間を推定することにより、磁気テープ３が途中の場合にも、磁気テープ３の残量を算出することができるようになされている。
【００４８】
さらに制御部１２は、インターバル記録モード時、インターバル記録を行った回数（以下、これを記録回数と呼ぶ）をカウントし、図２に示すように、このカウント結果を表す文字列（以下、これをインターバル記録回数表示用文字列と呼ぶ）２３を表示部９の映像表示面９Ａに表示されているインターバル記録間隔時間表示用文字列２１に対して縦方向に並べて表示させる。
【００４９】
そして制御部１２は、インターバル記録動作を開始するたびに、記録回数をカウントし、インターバル記録回数表示用文字列２３の表示を更新させる。また制御部１２は、テープドライブ部２に装填された磁気テープが取り出される等、磁気テープの交換をされると、記録回数のカウント値を「０」にリセットし、インターバル記録回数表示用文字列２３の表示を「０」にリセットさせる。これにより容易に記録回数をユーザに直感的に認識させることができるようになされており、例えば一日のうちの所定の時間帯を何日にもわたってインターバル記録を行うような場合において、インターバル記録回数表示用文字列２３により、現在何日目であるかをユーザに容易に認識させることができるようになされている。
【００５０】
このようにしてこのディジタルビデオカメラ１においては、制御部１２においてフレーム画像の累積時間、経過時間及び記録回数をカウントし、また残テープ時間を算出してカウントダウンし、図２に示すように、このカウント結果を表す各表示用文字列を表示部９の映像表示面９Ａに表示させることにより、インターバル記録モード時の状態をユーザに容易に認識させることができるようになされている。
【００５１】
（１−２）制御部１２におけるインターバル記録モード時の制御処理手順
ここで、上述のような制御部１２によるインターバル記録モード時の制御処理は、予め当該制御部１２の内部のＲＯＭに格納された制御プログラムに基づき、図５に示すインターバル記録モード時の制御処理手順ＲＴ１に従って行われる。
【００５２】
すなわち制御部１２は、操作部１１のモード切替えボタンを操作されることによりインターバル記録モードが選択されると、インターバル記録モード時の制御処理手順ＲＴ１をステップＳＰ０において開始し、続くステップＳＰ１において、予めユーザにより設定されたインターバル記録の間隔時間、このディジタルビデオカメラ１における記録方式に基づく１秒間に再生するフレーム数及び通常記録モードにおける磁気テープの残量に基づいて残テープ時間を算出する。
【００５３】
また制御部１２は、その後ステップＳＰ２に進んで、取り込み画像枚数表示用文字列１６、インターバル記録時間表示用文字列１９、経過時間表示用文字列２０、インターバル記録間隔時間表示用文字列２１、残テープ時間表示用文字列２２及びインターバル記録回数表示用文字列２３並びに映像１０を表示部９の映像表示面９Ａに表示させる。
【００５４】
さらに制御部１２は、その後ステップＳＰ３に進んで、インターバル記録動作が開始されたか否かを判断する。そして制御部１２は、このステップＳＰ３においてインターバル記録動作が開始されるのを待ちながら、インターバル記録動作が開始された場合のみステップＳＰ４に進み、経過時間のカウント値及びフレーム画像の枚数を「０」にリセットして、フレーム画像の枚数、フレーム画像の累積時間、経過時間、残テープ時間及び記録回数のカウントを開始し、取り込み画像枚数表示用文字列１６、インターバル記録時間表示用文字列１９、経過時間表示用文字列２０、残テープ時間表示用文字列２２及びインターバル記録回数表示用文字列２３の表示を必要に応じて更新させる。
【００５５】
さらに制御部１２は、その後ステップＳＰ５に進んで、一時記憶部７の半導体メモリ１４に取り込まれたフレーム画像の枚数が記録実行枚数に達したか否かを判断する。そして制御部１２は、このステップＳＰ５において否定結果を得るとステップＳＰ７に進み、これに対して肯定結果を得るとステップＳＰ６に進んで、テープドライブ部２に装填されている磁気テープ３に画像記録データＤ６を記録させる。
【００５６】
さらに制御部１２は、その後ステップＳＰ７に進んで、例えばユーザに操作部１１を操作されることにより、インターバル記録が停止されたか否かを判断する。そして制御部１２は、このステップＳＰ７において否定結果を得るとステップＳＰ５に戻り、この後ステップＳＰ５〜ステップＳＰ７について同様の処理を繰り返し、これに対して肯定結果を得るとステップＳＰ８に進んで、フレーム画像の枚数、フレーム画像の累積時間、経過時間、残テープ時間及び記録回数のカウントを停止し、取り込み画像枚数表示用文字列１６、インターバル記録時間表示用文字列１９、経過時間表示用文字列２０、残テープ時間表示用文字列２２及びインターバル記録回数表示用文字列２３の表示の更新を停止させる。
【００５７】
さらに制御部１２は、その後ステップＳＰ９に進んで、例えばユーザに操作部１１を操作されることにより、テープドライブ部２に装填されている磁気テープ３のテープ交換が行われたか否かを判断する。そして制御部１２は、このステップＳＰ９において否定結果を得るとステップＳＰ１１に進み、これに対して肯定結果を得るとステップＳＰ１０に進んで、記録回数のカウンタ値を「０」にリセットする。
【００５８】
さらに制御部１２は、その後ステップＳＰ１１に進んで、ユーザがインターバル記録動作を終了すべき操作（以下、これを終了操作と呼ぶ）を行なったか否かを判断し、否定結果を得るとステップＳＰ３に戻り、この後ステップＳＰ３〜ステップＳＰ１１について同様の処理を繰り返す。そして制御部１２は、やがてユーザが終了操作を行うことによりステップＳＰ１１において肯定結果を得ると、ステップＳＰ１２に進んでこのインターバル記録モード時の制御処理手順ＲＴ１を終了する。
【００５９】
（１−３）本実施の形態による動作及び効果
以上の構成において、このディジタルビデオカメラ１では、インターバル記録モード時、フレーム画像の累積時間及び経過時間をそれぞれカウントし、図２に示すように、インターバル記録時間表示用文字列１９及び経過時間表示用文字列２０をそれぞれ表示部９の映像表示面９Ａの右上部に縦方向に並べて表示させる。
【００６０】
従って、このディジタルビデオカメラ１では、フレーム画像の累積時間に加えて経過時間をユーザに認識させて、インターバル記録動作時に磁気テープに記録した時間のみならず、インターバル記録動作時の実際の時間を直感的にユーザに把握させることができる。
【００６１】
以上の構成によれば、インターバル記録モード時、フレーム画像の累積時間及び経過時間をそれぞれカウントし、図２に示すように、インターバル記録時間表示用文字列１９及び経過時間表示用文字列２０をそれぞれ表示部９の映像表示面９Ａの右上部に縦方向に並べて表示させることにより、フレーム画像の累積時間に加えて経過時間をユーザに認識させて、インターバル記録動作時に磁気テープに記録した時間のみならず、インターバル記録動作時の実際の時間を直感的にユーザに把握させることができ、かくして利便性の高いディジタルビデオカメラ１を実現することができる。
【００６２】
（２）他の実施の形態
なお上述の実施の形態においては、フレーム画像の累積時間及び経過時間をそれぞれカウントし、インターバル記録時間表示用文字列１９及び経過時間表示用文字列２０をそれぞれ表示部９の映像表示面９Ａの右上部に縦方向に並べて表示させた場合について述べたが、本発明はこれに限らず、この他種々の時間をカウントし、種々の表示用文字列を表示させるようにしても良い。
【００６３】
例えば、制御部１２は、テープドライブ部２の回転ドラムや磁気ヘッドの耐久性等の問題から１回の記録に記録できる時間が所定の時間に制限されている（例えば１２［時間］）ことから、図５に示すように、インターバル記録動作をおこなうことのできる残りの時間（以下、これを残記録時間と呼ぶ）からカウントし、このカウント結果を表す文字列（以下、これを残記録時間表示用文字列２４と呼ぶ）を、例えば経過時間表示用文字列２０に代えて、表示部９の映像表示面９Ａに表示させる。
【００６４】
そして制御部１２は、インターバル記録動作を開始すると、残記録時間のカウントを開始し、残記録時間表示用文字列２４の表示を必要に応じて更新させる一方、インターバル記録動作を停止すると、残記録時間のカウントを停止し、残記録時間表示用文字列２４の表示の更新を停止させる。
【００６５】
また制御部１２は、予めユーザにより設定されたインターバル記録を行う時間を残記録時間として、当該残記録時間をカウントするようにしても良い。
【００６６】
また上述の実施の形態においては、予めユーザにより設定されたインターバル記録の間隔時間を表すインターバル記録間隔時間表示用文字列２１を表示部９の映像表示面９Ａに表示させた場合について述べたが、本発明はこれに限らず、例えばこのディジタルビデオカメラ１における記録方式に基づく１秒間に再生するフレーム数等、この他種々の予めユーザにより設定されたパラメータ又はこのディジタルビデオカメラ１の設定に基づくパラメータを表示部９の映像表示面９Ａに表示させるようにしても良い。
【００６７】
さらに上述の実施の形態においては、上述のように取り込み画像枚数表示用文字列１６、インターバル記録時間表示用文字列１９、経過時間表示用文字列２０、インターバル記録間隔時間表示用文字列２１、残テープ時間表示用文字列２２及びインターバル記録回数表示用文字列２３並びに映像１０を表示部９の映像表示面９Ａに表示させた場合について述べたが、本発明はこれに限らず、この他種々の表示形態に適用することができる。
【００６８】
例えば、図７に示すように、これらの取り込み画像枚数表示用文字列１６、インターバル記録時間表示用文字列１９、経過時間表示用文字列２０、インターバル記録間隔時間表示用文字列２１、残テープ時間表示用文字列２２及びインターバル記録回数表示用文字列２３の横にそれぞれの名称を付加することにより、さらにそれぞれの表示をユーザに容易に認識させることができる。
【００６９】
また例えば、図８に示すように、これらの取り込み画像枚数表示用文字列１６、インターバル記録時間表示用文字列１９、経過時間表示用文字列２０、インターバル記録間隔時間表示用文字列２１、残テープ時間表示用文字列２２及びインターバル記録回数表示用文字列２３を表形式にすることにより、さらにそれぞれの表示をユーザに容易に認識させることができる。
【００７０】
さらに例えば、これらの取り込み画像枚数表示用文字列１６、インターバル記録時間表示用文字列１９、経過時間表示用文字列２０、インターバル記録間隔時間表示用文字列２１、残テープ時間表示用文字列２２及びインターバル記録回数表示用文字列２３を状況に応じて分表示に変更したり、またバー表示にすることにより、さらにそれぞれの表示をユーザに容易に認識させることができる。
【００７１】
さらに上述の実施の形態においては、テープドライブ部２に装填された磁気テープ３に映像記録データＤ４又は画像記録データＤ６を記録した場合について述べたが、本発明はこれに限らず、例えば、光ディスク、光磁気ディスク、半導体メモリ、磁気ディスク等の種々の記録媒体に記録するようにしても良い。
【００７２】
さらに上述の実施の形態においては、制御部１２から供給される画像書込み信号Ｓ３に基づいて、ビデオエンコーダ５から供給される映像符号化データＤ２から例えば１フレームのフレーム画像を抜き出して画像データＤ５に変換した場合について述べたが、本発明はこれに限らず、例えば複数のフレームのフレーム画像を抜き出すようにしても良く、１又は複数の所定数のフレームのフレーム画像を抜き出して半導体メモリ１４に記憶させることができる。
【００７３】
さらに上述の実施の形態においては、ビデオエンコーダ６から供給される映像符号化データＤ２から例えば１フレームのフレーム画像を抜き出して画像データＤ５に変換し、半導体メモリ１４に順次記憶させた場合について述べたが、本発明はこれに限らず、この他種々の撮像画像を抜き出すようにしても良い。
【産業上の利用可能性】
【００７４】
本発明は、ディジタルビデオカメラのほか、種々のインターバル記録を行うことのできる磁気記録再生装置に適用することができる。
【図面の簡単な説明】
【００７５】
【図１】本実施の形態によるディジタルビデオカメラの構成を示す略線図である。
【図２】表示部での表示を示す略線図である。
【図３】表示部での表示を示す略線図である。
【図４】表示部での表示を示す略線図である。
【図５】インターバル記録制御処理手順を示すフローチャートである。
【図６】他実施の形態による表示部での表示を示す略線図である。
【図７】他実施の形態による表示部での表示を示す略線図である。
【図８】他実施の形態による表示部での表示を示す略線図である。
【符号の説明】
【００７６】
１……ディジタルビデオカメラ、２……テープドライブ部、３……磁気テープ、４……撮像部、９……表示部、１０……映像、１２……制御部、１６……取り込み画像枚数表示用文字列、１９……経過時間表示用文字列、２０……インターバル記録時間表示用文字列、２１……インターバル記録間隔時間表示用文字列、２２……残テープ時間表示用文字列、２３……インターバル記録回数表示用文字列、２４……残記録時間表示用文字列。
【図１】
2006020164.tif 000004
【図２】
2006020164.tif 000005
【図３】
2006020164.tif 000006
【図４】
2006020164.tif 000007
【図５】
2006020164.tif 000008
【図６】
2006020164.tif 000009
【図７】
2006020164.tif 000010
【図８】
2006020164.tif 000011